(57)【要約】【課題】ネットワークに接続して動作状況の監視および制御を実行することができる照明装置、照明器具、照明システムを提供する。【解決手段】照明装置は、インターフェース部と、制御部と、絶縁型電源と、を具備して構成される。インターフェース部は、ネットワークに接続可能である。制御部は、インターフェース部との間で情報を送受信する。制御部はまた、所定の電源からの電力供給を受ける照明器具を制御するための制御信号を出力する。絶縁型電源は、インターフェース部および制御部の一部または全部に、照明器具と絶縁された状態で、所定の電源からの電力を供給する。【選択図】図２
2014067486.tif 000002
【特許請求の範囲】
【請求項１】
ネットワークに接続可能なインターフェース部と；
前記インターフェース部との間で情報を送受信し、所定の電源からの電力供給を受ける照明器具を制御するための制御信号を出力する制御部と；
前記インターフェース部および前記制御部の一部または全部に、前記照明器具と絶縁された状態で、前記所定の電源からの電力を供給する絶縁型電源と；
を具備する照明装置。
【請求項２】
前記制御部は、外部からの入力を受け付ける入力部を備え、当該入力に応じて前記照明器具を制御するための制御信号を出力することを特徴とする請求項１に記載の照明装置。
【請求項３】
前記制御部は、前記照明器具の照明光の照度を指示する調光信号、前記照明器具のオン・オフを指示する信号または前記照明器具に入力される電圧を調整する信号を出力することを特徴とする請求項１または２に記載の照明装置。
【請求項４】
前記制御信号を外部に出力するための出力端子を備える請求項１から３のいずれか１項に記載の照明装置。
【請求項５】
照明部と；
請求項１から４のいずれか１項に記載の照明装置と；
を有する照明器具。
【請求項６】
請求項４に記載の照明装置と；
前記照明装置が備える前記出力端子を介して制御信号を受信し、制御信号に基づいて調光された照明光を射出する複数の照明器具と；
を具備する照明システム。
【請求項７】
前記照明装置は、前記複数の照明器具各々に制御信号を送るための複数の出力端子を備える請求項６に記載の照明システム。
【請求項８】
請求項１から４のいずれか１項に記載の照明装置と；
当該照明装置に接続され、当該照明装置から制御信号を受信して調光された照明光を射出する照明器具と；
前記照明装置に、前記照明器具を制御するための信号を入力する外部入力装置と；
を具備する照明システム。
【請求項９】
前記外部入力装置は、スイッチまたはセンサである請求項８に記載の照明システム。
【発明の詳細な説明】
【技術分野】
【０００１】
本発明の実施形態は、照明装置、照明器具および照明システムに関する。
【背景技術】
【０００２】
近年、宅内に設置した家電制御装置から、宅外の外部サーバへ、宅内の家電の動作状況等の情報を送信して管理する家電制御システムが知られている。かかるシステムの利用者は宅外にいるときでも、携帯端末等を利用して外部サーバへアクセスすることで、家電の動作状況を知ることができる。また、利用者は携帯端末等を利用して外部サーバへアクセスすることで、宅外から、照明やエアコンなどの家電機器の操作を行うことができる。
【先行技術文献】
【特許文献】
【０００３】
【特許文献１】特開２０１１−００２９９０号公報
【特許文献２】特開２０１０−０２１７４９号公報
【発明の概要】
【発明が解決しようとする課題】
【０００４】
しかしながら、従来の家電制御システムに照明器具を接続して、照明器具の使用状況の監視や制御を行おうとした場合に、以下のような問題点があった。まず、照明器具は、宅内ではスイッチ等により制御されることが多く、直接ユーザが手で触れることは少ない。そのため、照明器具は、絶縁型の電源で構成されていないことが多い。かかる照明器具をネットワークに接続して、ネットワークと接続されたインターフェースと同電位とすると、工事等の際に容易に短絡を生じてネットワーク自体に不具合を生じる可能性がある。
【０００５】
本発明は、上記に鑑みてなされたものであって、ネットワークに接続して動作状況の監視および制御を実行することができる照明装置、照明器具および照明システムを提供することを目的とする。
【課題を解決するための手段】
【０００６】
実施形態の照明装置は、ネットワークに接続可能なインターフェース部と、インターフェース部との間で情報を送受信し、所定の電源からの電力供給を受ける照明器具を制御するための制御信号を出力する制御部と、インターフェース部および制御部の一部または全部に、照明器具と絶縁された状態で、所定の電源からの電力を供給する絶縁型電源と、を具備する。
【発明の効果】
【０００７】
本発明にかかる照明装置、照明器具および照明システムは、ネットワークに接続して動作状況の監視および制御を実行することができるという効果を奏する。
【図面の簡単な説明】
【０００８】
【図１】図１は、第１の実施形態に係る家電制御システムの一例の概要を示す図である。
【図２】図２は、第１の実施形態に係る照明器具の一例の概要を示す図である。
【図３Ａ】図３Ａは、第１の実施形態に係る絶縁型電源を実現するための構成の一例を示す図である。
【図３Ｂ】図３Ｂは、第１の実施形態に係る絶縁型電源を実現するための構成の他の例を示す図である。
【図４Ａ】図４Ａは、第２の実施形態に係る照明システムの一例の概要を示す図である。
【図４Ｂ】図４Ｂは、第２の実施形態に係る照明システムの他の例の概要を示す図である。
【発明を実施するための形態】
【０００９】
実施形態の照明装置は、ネットワークに接続可能なインターフェース部と、インターフェース部との間で情報を送受信し、所定の電源からの電力供給を受ける照明器具を制御するための制御信号を出力する制御部と、インターフェース部および制御部の一部または全部に、照明器具と絶縁された状態で、所定の電源からの電力を供給する絶縁型電源と、を具備する。
【００１０】
また、実施形態の照明装置が具備する制御部は、外部からの入力を受け付ける入力部を備え、当該入力に応じて前記照明器具を制御するための制御信号を出力してもよい。
【００１１】
また、実施形態の照明装置が備える制御部は、照明器具の照明光の照度を指示する調光信号、照明器具のオン・オフを指示する信号または照明器具に入力される電圧を調整する信号を出力してもよい。
【００１２】
また、実施形態の照明装置は、制御信号を外部に出力するための出力端子を備えてもよい。
【００１３】
また、実施形態の照明器具は、照明部と、上記した実施形態の照明装置と、を有しても良い。
【００１４】
また、実施形態の照明システムは、上記した照明装置と、照明装置が備える出力端子を介して制御信号を受信し、制御信号に基づいて調光された照明光を射出する複数の照明器具と、を具備してもよい。
【００１５】
また、実施形態の照明システムが具備する照明装置は、複数の照明器具各々に制御信号を送るための複数の出力端子を備えてもよい。
【００１６】
また、実施形態の照明システムは、上記した実施形態の照明装置と、当該照明装置に接続され、当該照明装置から制御信号を受信して調光された照明光を射出する照明器具と、照明装置に、照明器具を制御するための信号を入力する外部入力装置と、を具備する。
【００１７】
また、実施形態の照明システムが具備する外部入力装置は、スイッチまたはセンサであってもよい。
【００１８】
以下に、本発明にかかる照明装置、照明器具および照明システムの実施形態を図面に基づいて詳細に説明する。実施形態において同一の機能を有する構成には同一の符号を付し、重複する説明を省略する。
【００１９】
(第１の実施形態)
図１は、第１の実施形態に係る家電制御システムの一例の概要を示す図である。図１を参照し、第１の実施形態に係る家電制御システムの一例につき説明する。
【００２０】
［家電制御システム１の構成の一例］
家電制御システム１は、サーバ１０と、ネットワーク接続装置２０と、ハブ３０と、照明器具４０Ａ，４０Ｂ，４０Ｃと、家電機器５０Ａ，５０Ｂ，５０Ｃとを備える。ネットワーク接続装置２０、ハブ３０、照明器具４０Ａ，４０Ｂ，４０Ｃおよび家電機器５０Ａ，５０Ｂ，５０Ｃは、たとえば宅内に配置される。宅内に配置される機器は、たとえば宅外に配置されるサーバ１０と、ネットワーク６０を介して接続される。また、宅内に配置される機器には、外部送電網７０から電力が供給される。図１中、ネットワーク６０を介した情報の送受信に利用される制御線ＣＬ（Control Lineの略称、以下同様）を実線で示し、外部送電網７０からの電力供給に利用される電源線ＰＬ（Power Lineの略称、以下同様）を破線で示す。なお、図１には、３つの照明器具４０Ａ，４０Ｂ，４０Ｃと３つの家電機器５０Ａ，５０Ｂ，５０Ｃを示すが、照明器具および家電機器の数は特に限定されない。
【００２１】
家電制御システム１において、照明器具４０Ａ，４０Ｂ，４０Ｃおよび家電機器５０Ａ，５０Ｂ，５０Ｃの動作状況等に関する情報は、ハブ３０、ネットワーク接続装置２０およびネットワーク６０を介してサーバ１０に送信される。照明器具４０Ａ，４０Ｂ，４０Ｃおよび家電機器５０Ａ，５０Ｂ，５０Ｃの動作を制御するための指示情報は、サーバ１０から、ネットワーク６０、ネットワーク接続装置２０およびハブ３０を介して、照明器具４０Ａ，４０Ｂ，４０Ｃおよび家電機器５０Ａ，５０Ｂ，５０Ｃに送信される。
【００２２】
なお、照明器具４０Ａ，４０Ｂ，４０Ｃおよび家電機器５０Ａ，５０Ｂ，５０Ｃを制御するための指示情報は、ネットワーク６０を介してサーバ１０にアクセス可能に構成される外部端末等（図示せず）から、サーバ１０に送信され、サーバ１０から、照明器具４０Ａ，４０Ｂ，４０Ｃおよび家電機器５０Ａ，５０Ｂ，５０Ｃに送信されてもよい。
【００２３】
また、ネットワーク接続装置２０はモデム等、ネットワーク６０と接続して情報通信を可能にする装置である。ネットワーク６０は、インターネット、イーサネット（登録商標）、ローカルエリアネットワーク等である。家電機器５０Ａ，５０Ｂ，５０Ｃは、エアコンディショナー、給湯器等である。宅内での情報通信を行う機器は、エコネットライト（ECHONET Lite）等に対応したものとしてもよい。
【００２４】
［照明器具の構成の一例］
図２は、第１の実施形態に係る照明器具の一例の概要を示す図である。図２を参照し、第１の実施形態に係る照明器具の構成の一例を説明する。
【００２５】
第１の実施形態に係る照明器具は、たとえば、図１に示す家電制御システム１が備える照明器具４０Ａとして構成される。照明器具４０Ａは、ハブ３０から制御のための指示情報を受信し、受信した指示情報に応じて、照明の明るさの調整処理、点灯処理、消灯処理、および各処理の実行時間の設定を行う。また、照明器具４０Ａは、照明の明るさや点灯状態、消灯状態等の処理内容や、点灯時間や消灯時間等の設定内容に関する情報をハブ３０に送信する。
【００２６】
図２に示すように、照明器具４０Ａは、照明部１００と、照明装置２００と、を備える。また、照明器具４０Ａは、電源８０と接続され、電源８０からの電力の供給を受けて動作する。照明部１００と照明装置２００とには、別々に電源が供給される（後述）。照明器具４０Ａは、ハブ３０および操作盤（外部入力装置）９０と接続され、ハブ３０および操作盤９０からの制御入力を受信する。
【００２７】
照明部１００は、照明装置２００からの制御信号を受けて、ハブ３０および操作盤９０からの制御入力に基づく調光された光を射出する。照明装置２００は、照明部１００において生成される照明光の調光制御を行う。以下、照明部１００および照明装置２００につき、さらに詳細に説明する。
【００２８】
なお、電源８０は、図１に示す外部送電網７０からの電力を供給する。電源８０は例えば、宅内に設けられた配電盤を介して電力を供給する。ここでは、電源８０は、外部送電網７０からの電力を供給するものとして説明するが、たとえば、宅内で太陽光発電を行い、太陽光発電で取り出した電力を、パワーコンディショナー等を介して照明器具４０Ａに供給してもよい。また、電源８０は、風力発電で取り出した電力や、蓄電池に蓄積した電力を供給してもよい。
【００２９】
操作盤９０は、たとえば宅内に設けられ、照明器具４０Ａを制御するための入力をユーザから受ける。操作盤９０はたとえば、スイッチやペンダント等である。操作盤９０は、ユーザからではなく、センサからの入力を受ける外部入力装置として構成してもよい。照明器具４０Ａは、ネットワーク６０を介したサーバ１０からの制御を受け付けるとともに、操作盤９０を介した宅内からの制御を受け付ける。サーバ１０および操作盤９０からの制御内容が競合する場合は、所定の基準に従い調停を行う調停部（図示せず）により調停する。調停の手法は特に限定されない。
【００３０】
［照明部の構成の一例］
さらに、図２を参照して、照明部１００につき説明する。照明部１００は、一般的な照明器具、たとえば、ＬＥＤ（Light Emitting Diode）、白熱灯、蛍光灯等の照明を備える照明器具である。照明部１００は、制御部１０１と、点灯部１０２とを有する。
【００３１】
制御部１０１は、電源８０から電力の供給を受ける。そして、制御部１０１は、照明装置２００からの制御信号（調光信号）に基づき、点灯部１０２の調光処理を実行する。すなわち、制御部１０１は、照明装置２００からの制御信号に基づき、点灯部１０２が生成する照明光の強度等を制御する。すなわち、制御部１０１は、照明装置２００からの制御信号に基づいて、電源８０が供給する電圧を変動させ、変動後の電圧を点灯部１０２に供給することにより、点灯部１０２が生成する照明光の強度等を変化させる。また、制御部１０１は、照明装置２００からの制御信号に基づいて、点灯部１０２を点灯または消灯させる。制御部１０１は、たとえば、通常の照明器具が備える電子回路等である。制御部１０１は、調光の態様に応じて、位相制御された電源、直流電圧等を出力する。
【００３２】
点灯部１０２は、たとえば、ＬＥＤ、白熱灯、蛍光灯等である。点灯部１０２は、制御部１０１の制御に基づき、調光された光を射出する。
【００３３】
ここでは、照明部１００は、制御部１０１と点灯部１０２とを備えるものとして説明するが、照明部１００は、制御部１０１と点灯部１０２とを別体として構成してもよい。たとえば、点灯部１０２を、白熱灯や蛍光灯とそれを受けるソケットとして構成し、制御部１０１を、制御入力に応じて点灯部１０２に供給する電圧を変化させる、点灯部１０２に対して後付可能な調光器具として構成してもよい。
【００３４】
［照明装置２００の構成の一例］
照明装置２００は、インターフェース部２１０と、制御部２２０と、記憶部２３０と、絶縁型電源２４０と、外部入力端子２５０と、を備える。
【００３５】
インターフェース部２１０は、ハブ３０と接続され、ハブ３０との間で情報の送受信を行う。制御部２２０は、インターフェース部２１０と接続され、インターフェース部２１０がハブ３０から受信した情報に基づき、調光処理を実行する。また、制御部２２０は、外部入力端子２５０（後述）を介して操作盤９０から受信した情報に基づき、調光処理を実行する。制御部２２０の詳細についてはさらに後述する。
【００３６】
記憶部２３０は、インターフェース部２１０から受信した情報や、操作盤９０から外部入力端子２５０を介して受信した情報を記憶する。たとえば、記憶部２３０は、照明部１００が生成する照明光の強度に関する情報や、点灯状態、消灯状態、点灯・消灯のタイミングに関する情報等を記憶する。なお、記憶部２３０は設けず、制御部２２０における制御の内容を逐次、インターフェース部２１０を介してハブ３０に送信し、ハブ３０がサーバ１０に送信し、サーバ１０に格納するものとしてもよい。また、照明装置２００では、情報の管理は行わず、インターフェース部２１０および操作盤９０から入力される情報に基づく制御を実行するものとしてもよい。
【００３７】
絶縁型電源２４０は、電源８０から電力の供給を受け、照明装置２００内の所定の構成要素に対して絶縁された状態で電力を供給する。照明装置２００内のどの部分で絶縁するかは特に限定されない。すくなくとも、インターフェース部２１０および制御部２２０の一部または全部が照明部１００に対して絶縁された状態となればよい。
【００３８】
絶縁型電源２４０を実現する例を図３Ａおよび図３Ｂを参照して説明する。図３Ａは、第１の実施形態に係る絶縁型電源２４０を実現するための構成の一例を示す図である。図３Ｂは、第１の実施形態に係る絶縁型電源２４０を実現するための構成の他の例を示す図である。
【００３９】
図３Ａでは、トランスフォーマを利用して絶縁型電源２４０を実現する例を示す。図３Ａに示すように、インターフェース部２１０の入力側にトランスフォーマを配置して、電源８０からの電力供給を絶縁した上で、照明装置２００内に電力を供給することが考えられる。この場合、インターフェース部２１０の前段において絶縁が実現されることで、ネットワーク６０側の電位と照明部１００側の電位とが絶縁される。
【００４０】
図３Ｂでは、フォトカプラを利用して絶縁型電源２４０を実現する例を示す。図３Ｂに示すように、制御部２２０の後段にフォトカプラを挿入し、フォトカプラを介して信号を制御部１０１に送信するように構成する。この場合、制御部２２０の後段において絶縁が実現されることで、ネットワーク６０側の電位と照明部１００側の電位とが絶縁される。
【００４１】
図３Ａおよび図３Ｂに、第１の実施形態に係る絶縁型電源２４０を実現するための構成の例を示したが、本実施形態の絶縁型電源２４０を実現するための手法は例示したものに限定されず、インターフェース部２１０および制御部２２０を構成する回路内のいずれかの段階で絶縁を達成し、ネットワーク６０側電位と照明部１００側の電位とを絶縁すればよい。
【００４２】
［制御部２２０の構成の一例］
次に、再び図２を参照して、制御部２２０の構成の一例を説明する。制御部２２０は、信号生成部２２１と、情報生成部２２２と、入力部２２３とを有する。
【００４３】
信号生成部２２１は、インターフェース部２１０からの情報の入力を受け、受け取った情報に基づき照明部１００を制御するための制御信号（調光信号）を生成する。また、信号生成部２２１は、生成した制御信号を、照明部１００の制御部１０１に送る。
【００４４】
信号生成部２２１が生成する制御信号は、たとえば、照明部１００の照明光の照度を指示する調光信号、照明部１００のオン、オフを指示する信号、または照明部１００に入力される電圧を調整する信号等である。調光の態様によって、制御信号は、パルス幅変調（ＰＷＭ）信号、デジタルシリアル信号等であってよい。また、制御信号は、点灯部１０２に入力される電力を位相制御する信号であってもよく、また、点灯部１０２に入力する直流電圧を制御する信号であってもよい。
【００４５】
情報生成部２２２は、照明器具４０Ａの動作に関する情報を生成し、インターフェース部２１０およびハブ３０を介してサーバ１０に送信する。なお、照明器具４０Ａでは情報の管理を行わない構成とする場合は、情報生成部２２２は設けなくてもよい。
【００４６】
入力部２２３は、操作盤９０からの入力を、外部入力端子２５０を介して受信し、信号生成部２２１に送信する。
【００４７】
なお、信号生成部２２１は、インターフェース部２１０から受信する情報および入力部２２３が受信した情報の双方に基づいて制御信号を生成することができる。インターフェース部２１０からの情報（制御指示）と入力部２２３が受信した情報（制御指示）とが競合する場合には、いずれを優先するかを判定するため、信号生成部２２１の前段に、インターフェース部２１０および入力部２２３からの情報を受信して、優先判定を行う調停部を設けても良い。また、常にいずれかの入力を優先させるように信号生成部２２１を構成しても良い。
【００４８】
また、情報生成部２２２も、信号生成部２２１と同様に調停部から入力を受けるように構成してもよい。また、情報生成部２２２を信号生成部２２１からの入力を受けて処理を実行するように構成し、直接インターフェース部２１０や入力部２２３からの入力を受けないように構成してもよい。逆に、情報生成部２２２が調停部からの入力を先に受け、信号生成部２２１は情報生成部２２２からの入力を受けて信号を生成するようにしてもよい。
【００４９】
［第１の実施形態の効果］
このように、第１の実施形態に係る照明装置２００は、ネットワーク６０に接続可能なインターフェース部２１０と、インターフェース部２１０との間で情報を送受信し、所定の電源８０からの電力供給を受ける照明部１００を制御するための制御信号を出力する制御部２２０と、インターフェース部２１０および制御部２２０の一部または全部に、照明部１００と絶縁された状態で、所定の電源８０からの電力を供給する絶縁型電源２４０と、を備える。このため、照明装置２００は、インターフェース部２１０および制御部２２０の一部または全部において絶縁を達成しつつ、照明部１００の制御を実行することができる。したがって、ネットワーク６０に接続して、照明部１００の動作状況の監視および制御を実行することができる。また、照明装置２００において、照明部１００との間でネットワーク６０側電位と照明部１００側電位とを絶縁することができるため、短絡等の不具合の発生を防止することができる。
【００５０】
また、第１の実施形態に係る照明装置２００は、照明器具４０Ａを他の家電機器５０Ａ，５０Ｂ，５０Ｃと同様に、外部送電網７０からの電力を供給する電源８０に接続して制御するため、ネットワーク６０を介して宅内全体の電力消費状況等を容易に把握することができ、電力管理を容易に達成することができる。特に、ネットワークからの情報を無線で送受信するよう構成した場合には、無線用に別電源を設けることになり、電力消費が大きくなると共に、一括して電源管理をすることが難しいが、本実施形態においては、電源管理を容易に実現することができる。
【００５１】
また、第１の実施形態に係る照明装置２００は、照明部１００への電力供給路とは別に、照明装置２００用の絶縁型電源２４０を備え、照明部１００と絶縁された状態で、所定の電源８０からの電力を供給する。このため、制御のための待機電力を抑制して、電力消費を抑えることができる。
【００５２】
また、第１の実施形態に係る照明装置が具備する制御部は、外部からの入力を受け付ける入力部を備え、当該入力に応じて前記照明器具を制御するための制御信号を出力する。このため、外部入力装置からの操作入力により、照明器具を制御することができ、ネットワークに照明器具を接続した場合であっても、宅内からユーザが手動で照明器具を操作することができる。
【００５３】
［変形例］
第１の実施形態では、照明部１００は、制御部１０１と点灯部１０２とを有し、制御部１０１が照明装置２００からの制御信号に基づき点灯部１０２を制御するものとした。ところで、照明器具の調光制御にはたとえば以下に説明するような２つの方式が考えられる。
【００５４】
１つ目の方式では、照明器具に入力された電力を照明器具の内部で調整して調光を行う（以下、調光方式１）。２つ目の方式では、照明器具の入力部に可変抵抗器等を設け、入力される電力量自体を増減させて調光を行う（以下、調光方式２）。本実施例の照明部１００はいずれの方式で調光を行ってもよい。
【００５５】
なお、第１の実施形態では、照明部１００と照明装置２００とが一体として照明器具４０Ａを構成するものとして説明したが、照明部１００と照明装置２００とは別体に構成してもよい。この場合、既に設置されている照明器具に対して、照明装置２００を新たに設置し接続するように構成すればよい。
【００５６】
（第２の実施形態）
上記第１の実施形態では、照明器具４０Ａを調光制御する場合について説明した。第２の実施形態では、複数の照明器具を統合的に調光制御する場合について説明する。第２の実施形態に係る照明システムが備える照明器具は、第１の実施形態に係る照明器具と同様であるが、照明装置が出力する制御信号を他の照明器具に送信するための出力端子を有する点が異なる。
【００５７】
以下、図４Ａおよび図４Ｂを参照して、第２の実施形態に係る照明システムについて説明する。図４Ａおよび図４Ｂはそれぞれ、第２の実施形態に係る照明システムの一例の概要を示す図である。図４Ａに示す照明システム２Ａは、照明器具４０Ｄ，４０Ｅ，４０Ｆを備える。照明器具４０Ｄは、第１の実施形態に係る照明器具４０Ａと同様の構成である。すなわち、照明器具４０Ｄは、照明部１００Ｄと照明装置２００Ｄとを備え、照明部１００Ｄは、制御部１０１Ｄと、点灯部１０２Ｄとを有し、照明装置２００Ｄは、インターフェース部２１０Ｄと、制御部２２０Ｄと、記憶部２３０Ｄと、絶縁型電源２４０Ｄと、を有する。照明器具４０Ｄは、さらに、出力端子２６０Ｄを備える。
【００５８】
照明器具４０Ｄの出力端子２６０Ｄからは、照明部１００Ｄの制御部１０１Ｄにおいて制御信号に基づき生成された電圧が出力される。電圧は、出力端子２６０Ｄを介して、照明器具４０Ｅに送られる。照明器具４０Ｅは、照明部１００Ｄの点灯部１０２Ｄと同様の構成を有し、受信した電圧で照明光を生成する。さらに、照明器具４０Ｅが有する出力端子２６０Ｅを介して、照明器具４０Ｆに電力が送られ、同様に照明器具４０Ｆは照明光を生成する。
【００５９】
このように構成することで、照明装置２００Ａを全ての照明器具に設ける必要がなく、各照明器具の調光を実現することができる。
【００６０】
なお、照明装置２００Ｄに複数の出力端子を設けて、直接複数の照明器具各々に制御信号を送るよう構成してもよい。
【００６１】
また、図４Ａに示す例に限られず、図４Ｂに示すように複数の照明器具を接続することもできる。図４Ｂに示す例では、照明器具４０Ｇは、第１の実施形態の照明器具４０Ａと同様の構成を有する。ただし、照明器具４０Ｇは、照明装置２００Ｇにおいて生成された制御信号（調光信号）を外部に送信する出力端子２６０Ｇを有する。出力端子２６０Ｇを介して出力される調光信号は、照明器具４０Ｈに送られ、調光信号に基づき、照明器具４０Ｇの照明光が調整される。さらに、調光信号は、照明器具４０Ｈの有する出力端子２６０Ｈを介して、照明器具４０Ｉに送信される。照明器具４０Ｉも同様に、受信した調光信号に基づき、照明光を調整し、調光信号を出力端子２６０Ｉを介して外部に送信する。
【００６２】
このように構成することで、照明装置２００Ｇを全ての照明器具に設ける必要がなく、各照明器具の調光を実現することができる。
【００６３】
なお、図４Ｂでは、出力端子２６０Ｇは、照明器具４０Ｇの外郭に設けられるものとして図示したが、照明装置２００Ｇを独立させて、出力端子２６０Ｇを照明装置２００Ｇに設けてもよい。
【００６４】
［第２の実施形態の効果］
このように、第２の実施形態に係る照明システムは、ネットワークに接続可能なインターフェース部と、インターフェース部との間で情報を送受信し、所定の電源からの電力供給を受ける照明部を制御するための制御信号を出力する制御部と、インターフェース部および制御部の一部または全部に、照明部と絶縁された状態で、所定の電源からの電力を供給する絶縁型電源と、制御信号を外部に出力するための出力端子と、を具備する照明装置と、当該照明装置が備える出力端子を介して制御信号を受信し、制御信号に基づいて調光された照明光を射出する複数の照明器具と、を具備する。このため、照明システムは、１つの照明装置において生成した制御信号に基づいて、複数の照明器具の調光を実行することができ、全ての照明器具に個別に調光機能を備えさせる必要をなくしてコストを低減することができる。また、このように構成することで、ネットワーク接続用の回路を各照明器具に内蔵する必要がなく、装置コストを抑制することができる。また、設置にかかる手間を低減することができる。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６６】
１  家電制御システム
１０  サーバ
２０  ネットワーク接続装置
３０  ハブ
４０Ａ−４０Ｉ  照明器具
５０Ａ，５０Ｂ，５０Ｃ  家電機器
６０  ネットワーク
７０  外部送電網
８０  電源
９０  操作盤（外部入力装置）
１００  照明部
１０１  制御部
１０２  点灯部
２００  照明装置
２１０  インターフェース部
２２０  制御部
２２１  信号生成部
２２２  情報生成部
２２３  入力部
２３０  記憶部
２４０  絶縁型電源
ＣＬ  制御線
ＰＬ  電源線
【図１】
2014067486.tif 000003
【図２】
2014067486.tif 000004
【図３Ａ】
2014067486.tif 000005
【図３Ｂ】
2014067486.tif 000006
【図４Ａ】
2014067486.tif 000007
【図４Ｂ】
2014067486.tif 000008